(57)【要約】      （修正有）【課題】無線通信システムにおいて用いられ、１つまたは複数のアップリンク搬送波と１つまたは複数のダウンリンク搬送波との間でペアリング（ｐａｉｒｉｎｇ）が決定される方法を提供する。【解決手段】１つまたは複数のアップリンク搬送波及び１つまたは複数のダウンリンク搬送波は、少なくとも３つの搬送波を含む。搬送波のうちの１つ以上での制御情報をいずれの搬送波でやりとりすべきかは、ペアリング又はアンカー搬送波の指定に基づく。【選択図】図３
2015039183.tif 000002
【特許請求の範囲】
【請求項１】
無線通信システムにおいて用いられる方法であって、
１つまたは複数のアップリンク搬送波と１つまたは複数のダウンリンク搬送波との間でのペアリングを決定すること、前記１つまたは複数のアップリンク搬送波及び前記１つまたは複数のダウンリンク搬送波は、少なくとも３つの搬送波を備える、
前記ペアリング又はアンカー搬送波の指定に基づいて前記搬送波のうちの１つ以上で制御情報をやりとりすること、を備える、無線通信システムにおいて用いられる方法。
【請求項２】
前記ペアリングを前記決定することは、前記１つまたは複数のアップリンク搬送波と前記１つまたは複数のダウンリンク搬送波との間での前記ペアリングを決定することを備える請求項１に記載の方法。
【請求項３】
前記ペアリングを前記決定することは、ブロードキャストされたシステム情報又は専用シグナリングから前記１つまたは複数のアップリンク搬送波と前記１つまたは複数のダウンリンク搬送波との間での前記ペアリングを特定することを備える請求項１に記載の方法。
【請求項４】
前記ペアリングに基づくときに、前記制御情報を前記やりとりすることは、前記１つまたは複数のアップリンク搬送波が対にされている相手である前記１つまたは複数のダウンリンク搬送波のための前記制御情報を前記１つまたは複数の搬送波のうちのすべてでやりとりすることを備える請求項１に記載の方法。
【請求項５】
前記ペアリングに基づくときに、前記制御情報を前記やりとりすることは、前記１つまたは複数のダウンリンク搬送波が対にされている相手である前記１つまたは複数のアップリンク搬送波のための前記制御情報を前記１つまたは複数のダウンリンク搬送波のうちのすべてでやりとりすることを備える請求項１に記載の方法。
【請求項６】
アンカー搬送波がアップリンクのために指定されるときに、前記制御情報を前記やりとりすることは、前記１つまたは複数のアップリンク搬送波が対にされている相手である前記１つまたは複数のダウンリンク搬送波のためのすべての前記制御情報を前記指定されたアップリンクアンカー搬送波でやりとりすることを備える請求項１に記載の方法。
【請求項７】
前記指定されたアップリンクアンカー搬送波は、１つまたは複数のその他のアップリンク搬送波が対にされている相手である前記１つまたは複数のダウンリンク搬送波と対にされない請求項６に記載の方法。
【請求項８】
前記指定されたアップリンクアンカー搬送波は、前記１つまたは複数のアップリンク搬送波のうちの１つである請求項６に記載の方法。
【請求項９】
アンカー搬送波がダウンリンクのために指定されるときに、前記制御情報を前記やりとりすることは、前記１つまたは複数のダウンリンク搬送波が対にされている相手である前記１つまたは複数のアップリンク搬送波のためのすべての前記制御情報を前記指定されたダウンリンクアンカー搬送波でやりとりすることを備える請求項１に記載の方法。
【請求項１０】
前記指定されたダウンリンクアンカー搬送波は、１つまたは複数のその他のダウンリンク搬送波が対にされている相手である前記１つまたは複数のアップリンク搬送波と対にされない請求項９に記載の方法。
【請求項１１】
前記指定されたダウンリンクアンカー搬送波は、前記１つまたは複数のダウンリンク搬送波のうちの１つである請求項９に記載の方法。
【請求項１２】
前記制御情報は、チャネル品質指示フィードバック、ハイブリッド自動再送要求フィードバック、ダウンリンク許可、又はアップリンク許可のうちの少なくとも１つを備える請求項１に記載の方法。
【請求項１３】
前記制御情報は、前記搬送波のデータスペース内でやりとりされる請求項１に記載の方法。
【請求項１４】
前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有する請求項１に記載の方法。
【請求項１５】
前記ペアリングを決定することは、すべての利用可能なダウンリンク搬送波及びアップリンク搬送波のための複数のペアリングを決定することを備え、
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有する請求項１に記載の方法。
【請求項１６】
無線通信システムにおいて動作可能な装置であって、
１つまたは複数のアップリンク搬送波と１つまたは複数のダウンリンク搬送波との間でのペアリングを決定するための手段であって、前記１つまたは複数のアップリンク搬送波及び前記１つまたは複数のダウンリンク搬送波は、少なくとも３つの搬送波を備える手段と、
前記ペアリング又はアンカー搬送波の指定に基づいて前記搬送波のうちの１つ以上で制御情報をやりとりするための手段と、を備える、無線通信システムにおいて動作可能な装置。
【請求項１７】
前記ペアリングを決定するための前記手段は、前記１つまたは複数のアップリンク搬送波と前記１つまたは複数のダウンリンク搬送波との間での前記ペアリングを決定する請求項１６に記載の装置。
【請求項１８】
前記ペアリングを決定するための前記手段は、ブロードキャストされたシステム情報又は専用シグナリングから前記１つまたは複数のアップリンク搬送波と前記１つまたは複数のダウンリンク搬送波との間での前記ペアリングを特定する請求項１６に記載の装置。
【請求項１９】
前記ペアリングに基づくときに、前記制御情報をやりとりするための前記手段は、前記１つまたは複数のアップリンク搬送波が対にされている相手である前記１つまたは複数のダウンリンク搬送波のための前記制御情報を前記１つまたは複数のアップリンク搬送波のうちのすべてでやりとりする請求項１６に記載の装置。
【請求項２０】
前記ペアリングに基づくときに、前記制御情報をやりとりするための前記手段は、前記１つまたは複数のダウンリンク搬送波が対にされている相手である前記１つまたは複数のアップリンク搬送波のための前記制御情報を前記１つまたは複数のダウンリンク搬送波のうちのすべてでやりとりする請求項１６に記載の装置。
【請求項２１】
アンカー搬送波がアップリンクのために指定されるときに、前記制御情報をやりとりするための前記手段は、前記１つまたは複数のアップリンク搬送波が対にされている相手である前記１つまたは複数のダウンリンク搬送波のためのすべての前記制御情報を前記指定されたアップリンクアンカー搬送波でやりとりする請求項１６に記載の装置。
【請求項２２】
前記指定されたアップリンクアンカー搬送波は、１つまたは複数のその他のアップリンク搬送波が対にされている相手である前記１つまたは複数のダウンリンク搬送波と対にされない請求項２１に記載の装置。
【請求項２３】
前記指定されたアップリンクアンカー搬送波は、前記１つまたは複数のアップリンク搬送波のうちの１つである請求項２１に記載の装置。
【請求項２４】
アンカー搬送波がダウンリンクのために指定されるときに、前記制御情報をやりとりするための前記手段は、前記１つまたは複数のダウンリンク搬送波が対にされている相手である前記１つまたは複数のアップリンク搬送波のためのすべての前記制御情報を前記指定されたダウンリンクアンカー搬送波でやりとりする請求項１６に記載の装置。
【請求項２５】
前記指定されたダウンリンクアンカー搬送波は、１つまたは複数のその他のダウンリンク搬送波が対にされている相手である前記１つまたは複数のアップリンク搬送波と対にされない請求項２４に記載の装置。
【請求項２６】
前記指定されたダウンリンクアンカー搬送波は、前記１つまたは複数のダウンリンク搬送波のうちの１つである請求項２４に記載の装置。
【請求項２７】
前記制御情報は、チャネル品質指示フィードバック、ハイブリッド自動再送要求フィードバック、ダウンリンク許可、又はアップリンク許可のうちの少なくとも１つを備える請求項１６に記載の装置。
【請求項２８】
前記制御情報は、前記搬送波のデータスペース内でやりとりされる請求項１６に記載の装置。
【請求項２９】
前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有する請求項１６に記載の装置。
【請求項３０】
前記ペアリングを決定するための前記手段は、すべての利用可能なダウンリンク搬送波及びアップリンク搬送波のための複数のペアリングを決定し、及び
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有する請求項１６に記載の装置。
【請求項３１】
無線通信システムにおいて動作可能な装置であって、
１つまたは複数のアップリンク搬送波と１つまたは複数のダウンリンク搬送波との間でのペアリングを決定し、及び
前記ペアリング又はアンカー搬送波の指定に基づいて前記搬送波のうちの１つ以上で制御情報をやりとりするように構成された処理システムであって、前記１つまたは複数のアップリンク搬送波及び前記１つまたは複数のダウンリンク搬送波は、少なくとも３つの搬送波を備える処理システム、を備える、無線通信システムにおいて動作可能な装置。
【請求項３２】
前記ペアリングを決定するために、前記処理システムは、前記１つまたは複数のアップリンク搬送波と前記１つまたは複数のダウンリンク搬送波との間での前記ペアリングを決定するように構成される請求項３１に記載の装置。
【請求項３３】
前記ペアリングを決定するために、前記処理システムは、ブロードキャストされたシステム情報又は専用シグナリングから前記１つまたは複数のアップリンク搬送波と前記１つまたは複数のダウンリンク搬送波との間での前記ペアリングを特定するように構成される請求項３１に記載の装置。
【請求項３４】
前記ペアリングに基づくときに、前記処理システムは、前記１つまたは複数のアップリンク搬送波が対にされている相手である前記１つまたは複数のダウンリンク搬送波のための前記制御情報を前記１つまたは複数のアップリンク搬送波のうちのすべてでやりとりするように構成される請求項３１に記載の装置。
【請求項３５】
前記ペアリングに基づくときに、前記処理システムは、前記１つまたは複数のダウンリンク搬送波が対にされている相手である前記１つまたは複数のアップリンク搬送波のための前記制御情報を前記１つまたは複数のダウンリンク搬送波のうちのすべてでやりとりするように構成される請求項３１に記載の装置。
【請求項３６】
アンカー搬送波がアップリンクのために指定されるときに、前記処理システムは、前記１つまたは複数のアップリンク搬送波が対にされている相手である前記１つまたは複数のダウンリンク搬送波のためのすべての前記制御情報を前記指定されたアップリンクアンカー搬送波でやりとりするように構成される請求項３１に記載の装置。
【請求項３７】
前記指定されたアップリンクアンカー搬送波は、１つまたは複数のその他のアップリンク搬送波が対にされている相手である前記１つまたは複数のダウンリンク搬送波と対にされない請求項３６に記載の装置。
【請求項３８】
前記指定されたアップリンクアンカー搬送波は、前記１つまたは複数のアップリンク搬送波のうちの１つである請求項３６に記載の装置。
【請求項３９】
アンカー搬送波がダウンリンクのために指定されるときに、前記処理システムは、前記１つまたは複数のダウンリンク搬送波が対にされている相手である前記１つまたは複数のアップリンク搬送波のためのすべての前記制御情報を前記指定されたダウンリンクアンカー搬送波でやりとりするように構成される請求項３１に記載の装置。
【請求項４０】
前記指定されたダウンリンクアンカー搬送波は、１つまたは複数のその他のダウンリンク搬送波が対にされている相手である前記１つまたは複数のアップリンク搬送波と対にされない請求項３９に記載の装置。
【請求項４１】
前記指定されたダウンリンクアンカー搬送波は、前記１つまたは複数のダウンリンク搬送波のうちの１つである請求項３９に記載の装置。
【請求項４２】
前記制御情報は、チャネル品質指示フィードバック、ハイブリッド自動再送要求フィードバック、ダウンリンク許可、又はアップリンク許可のうちの少なくとも１つを備える請求項３１に記載の装置。
【請求項４３】
前記制御情報は、前記搬送波のデータスペース内でやりとりされる請求項３１に記載の装置。
【請求項４４】
前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有する請求項３１に記載の装置。
【請求項４５】
前記ペアリングを決定するために、前記処理システムは、すべての利用可能なダウンリンク搬送波及びアップリンク搬送波のための複数のペアリングを決定するように構成され、
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有する請求項３１に記載の装置。
【請求項４６】
コンピュータプログラム製品であって、
１つまたは複数のアップリンク搬送波と１つまたは複数のダウンリンク搬送波との間でのペアリングを決定するための符号であって、前記１つまたは複数のアップリンク搬送波及び前記１つまたは複数のダウンリンク搬送波は、少なくとも３つの搬送波を備える符号と、
前記ペアリング又はアンカー搬送波の指定に基づいて前記搬送波のうちの１つ以上で制御情報をやりとりするための符号と、を備える、コンピュータによって読み取り可能な媒体、を備える、コンピュータプログラム製品。
【請求項４７】
前記ペアリングを決定するための前記符号は、前記１つまたは複数のアップリンク搬送波と前記１つまたは複数のダウンリンク搬送波との間での前記ペアリングを決定するための符号を備える請求項４６に記載のコンピュータプログラム製品。
【請求項４８】
前記ペアリングを決定するための前記符号は、ブロードキャストされたシステム情報又は専用シグナリングから前記１つまたは複数のアップリンク搬送波と前記１つまたは複数のダウンリンク搬送波との間での前記ペアリングを特定するための符号を備える請求項４６に記載のコンピュータプログラム製品。
【請求項４９】
前記ペアリングに基づくときに、前記制御情報をやりとりするための前記符号は、前記１つまたは複数のアップリンク搬送波が対にされている相手である前記１つまたは複数のダウンリンク搬送波のための前記制御情報を前記１つまたは複数のアップリンク搬送波のうちのすべてでやりとりするための符号を備える請求項４６に記載のコンピュータプログラム製品。
【請求項５０】
前記ペアリングに基づくときに、前記制御情報を前記やりとりするための前記符号は、前記１つまたは複数のダウンリンク搬送波が対にされている相手である前記１つまたは複数のアップリンク搬送波のための前記制御情報を前記１つまたは複数のダウンリンク搬送波のうちのすべてでやりとりするための符号を備える請求項４６に記載のコンピュータプログラム製品。
【請求項５１】
アンカー搬送波がアップリンクのために指定されるときに、前記制御情報をやりとりするための前記符号は、前記１つまたは複数のアップリンク搬送波が対にされている相手である前記１つまたは複数のダウンリンク搬送波のためのすべての前記制御情報を前記指定されたアップリンクアンカー搬送波でやりとりするための符号を備える請求項４６に記載のコンピュータプログラム製品。
【請求項５２】
前記指定されたアンカー搬送波は、１つまたは複数のその他のアップリンク搬送波が対にされている相手である前記１つまたは複数のダウンリンク搬送波と対にされない請求項５１に記載のコンピュータプログラム製品。
【請求項５３】
前記指定されたアップリンクアンカー搬送波は、前記１つまたは複数のアップリンク搬送波のうちの１つである請求項５１に記載のコンピュータプログラム製品。
【請求項５４】
アンカー搬送波がダウンリンクのために指定されるときに、前記制御情報をやりとりするための前記符号は、前記１つまたは複数のダウンリンク搬送波が対にされている相手である前記１つまたは複数のアップリンク搬送波のためのすべての前記制御情報を前記指定されたダウンリンクアンカー搬送波でやりとりするための符号を備える請求項４６に記載のコンピュータプログラム製品。
【請求項５５】
前記指定されたダウンリンクアンカー搬送波は、１つまたは複数のその他のダウンリンク搬送波が対にされている相手である前記１つまたは複数のアップリンク搬送波と対にされない請求項５４に記載のコンピュータプログラム製品。
【請求項５６】
前記指定されたダウンリンクアンカー搬送波は、前記１つまたは複数のダウンリンク搬送波のうちの１つである請求項５４に記載のコンピュータプログラム製品。
【請求項５７】
前記制御情報は、チャネル品質指示フィードバック、ハイブリッド自動再送要求フィードバック、ダウンリンク許可、又はアップリンク許可のうちの少なくとも１つを備える請求項４６に記載のコンピュータプログラム製品。
【請求項５８】
前記制御情報は、前記搬送波のデータスペース内でやりとりされる請求項４６に記載のコンピュータプログラム製品。
【請求項５９】
前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有する請求項４６に記載のコンピュータプログラム製品。
【請求項６０】
前記ペアリングを決定するための前記符号は、すべての利用可能なダウンリンク搬送波及びアップリンク搬送波のための複数のペアリングを決定するための符号を備え、
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有する請求項４６に記載のコンピュータプログラム製品。
【発明の詳細な説明】
【技術分野】
【０００１】
関連出願の相互参照
本出願は、３５Ｕ．Ｓ．Ｃ．§１１９（ｅ）に準拠し、米国仮特許出願一連番号第６１／０８７，９５９号（出願日：２００８年８月１１日）の利益、及び米国仮特許出願一連番号第６１／０８８，３２１号（出願日：２００８年８月１２日）の利益を主張するものであり、それらの内容は、ここにおいて引用されることによってそれらの全体がここに組み入れられている。
【０００２】
本開示は、一般に、通信に関し、より具体的には、制御及び手順のための搬送波設計に関する。
【背景技術】
【０００３】
様々な通信サービス、例えば、テレフォニー、映像、データ、メッセージング、ブロードキャスト、等、を提供することを目的として無線通信システムが広範囲にわたって配備されている。これらの無線システムは、利用可能なシステムリソースを共有することによって複数のユーザをサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交ＦＤＭＡ（ＯＦＤＭＡ）システムと、単一搬送波ＦＤＭＡ（ＳＣ−ＦＤＭＡ）システムと、を含む。
【０００４】
無線通信システムは、地理上の地域内の複数の移動局のためにネットワーク（例えば、インターネット）への無線アクセスを提供するように一般に設計される。アクセスは、その地理上の地域にサービスを提供するアクセスポイント又は基地局によって提供される。基地局は、複数の移動局との無線アクセスプロトコル（すなわち、無線に基づく通信リンク）をサポートする無線トランシーバを有する装置である。無線アクセスプロトコルは、とりわけ移動局と通信するために基地局によって用いられる多元接続システムを含む産業規格によって一般に定義される。
【発明の概要】
【０００５】
本開示の一態様においては、無線通信システムにおいて用いられ、１つまたは複数のアップリンク搬送波と１つまたは複数のダウンリンク搬送波との間でペアリング（ｐａｉｒｉｎｇ）が決定される方法、が提供される。１つまたは複数のアップリンク搬送波及び１つまたは複数のダウンリンク搬送波は、少なくとも３つの搬送波を含む。搬送波のうちの１つ以上での制御情報をいずれの搬送波でやりとり（ｅｘｃｈａｎｇｅ）すべきかは、ペアリング又はアンカー搬送波（ａｎｃｈｏｒ  ｃａｒｒｉｅｒ）の指定に基づく。
【０００６】
本開示の他の態様においては、無線通信システムにおいて動作可能な装置は、１つまたは複数のアップリンク搬送波と１つまたは複数のダウンリンク搬送波との間でのペアリングを決定するための手段を含む。１つまたは複数のアップリンク搬送波及び１つまたは複数のダウンリンク搬送波は、少なくとも３つの搬送波を含む。装置は、ペアリング又はアンカー搬送波の指定に基づいて搬送波のうちの１つ以上で制御情報をやりとりするための手段をさらに含む。
【０００７】
本開示の他の態様においては、無線通信システムにおいて動作可能な装置は、処理システムを含む。処理システムは、１つまたは複数のアップリンク搬送波と１つまたは複数のダウンリンク搬送波との間でのペアリングを決定するように構成される。１つまたは複数のアップリンク搬送波及び１つまたは複数のダウンリンク搬送波は、少なくとも３つの搬送波を含む。処理システムは、ペアリング又はアンカー搬送波の指定に基づいて搬送波のうちの１つ以上で制御情報をやりとりするようにさらに構成される。
【０００８】
本開示の他の態様においては、コンピュータプログラム製品が提供される。コンピュータプログラム製品は、１つまたは複数のアップリンク搬送波と１つまたは複数のダウンリンク搬送波との間でのペアリングを決定するための符号を有する。１つまたは複数のアップリンク搬送波及び１つまたは複数のダウンリンク搬送波は、少なくとも３つの搬送波を含む。コンピュータプログラム製品は、ペアリング又はアンカー搬送波の指定に基づいて搬送波のうちの１つ以上で制御情報をやりとりするための符号も有する。
【図面の簡単な説明】
【０００９】
【図１】図１は、無線通信システムの例を示した概念図である。
【図２】図２は、装置のためのハードウェア構成を示したブロック図である。
【図３】図３は、アップリンク／ダウンリンクペアリングを示した図である。
【図４】図４は、アンカー搬送波を用いたアップリンク／ダウンリンクペアリングを示した図である。
【図５】図５は、典型的な装置の機能を示した概念的ブロック図である。
【図６】図６は、典型的な装置の機能を示した概念的ブロック図である。
【詳細な説明】
【００１０】
本発明の様々な態様が添付図を参照して以下においてより完全に説明される。しかしながら、本発明は、数多くの様々な形態で具現化することができ、本開示において提示されるいずれかの特定の構造及び機能に限定されるとは解釈されるべきでない。むしろ、これらの態様は、本開示を徹底的でかつ完全にするために提供され、本発明の適用範囲を当業者に完全に伝えるものではない。
【００１１】
詳細な説明は、本発明の様々な態様を例示するための具体的な詳細を含むことができる。しかしながら、本発明はこれらの具体的な詳細なしに実践可能であることが当業者にとって明確であろう。幾つかの例においては、本開示全体を通じて提示される発明概念を曖昧にすることを回避するために、よく知られた要素は、ブロック図形で示されること、又は省略されることがある。
【００１２】
ここでは、無線通信システムの幾つかの態様が図１を参照して提示される。無線通信システム１００は、あらゆる数の装置をサポートすることができる。装置は、ｅＮｏｄｅＢ又はユーザ装置（ＵＥ）であることができる。図１においては、無線システム１００は、ｅＮｏｄｅＢ（すなわち、基地局）１０４と通信する幾つかのＵＥ１０２とともに示される。ＵＥ１０２は、携帯電話として示されるが、無線接続能力を有するコードレスフォン、スマートフォン、セッション開始プロトコル（ＳＩＰ）フォン、ラップトップ、パーソナルデジタルアシスタント（ＰＤＡ）、衛星無線、全地球測位システム、マルチメディアデバイス、ビデオデバイス、デジタルオーディオプレーヤー（例えば、ＭＰ３プレーヤー）、カメラ、ゲームコンソール、又はその他の適切なデバイスであることができる。ＵＥ１０２は、移動局、加入者局、モバイルユニット、加入者ユニット、無線ユニット、リモートユニット、モバイルデバイス、無線デバイス、無線通信デバイス、リモートデバイス、モバイル加入者局、アクセス端末、モバイル端末、無線端末、リモート端末、ハンドセット、ユーザエージェント、モバイルクライアント、クライアント、又はその他の適切な用語で呼ぶことができる。ｅＮｏｄｅＢ１０４は、基地局、基地トランシーバ局、無線基地局、アクセスポイント、ＮｏｄｅＢ、トランシーバ機能、無線ルーター、無線トランシーバ、ベーシックサービスセット（ＢＳＳ）、拡張サービスセット（ＥＳＳ）、又はその他の適切な用語で呼ぶことができる。本開示全体を通じて提示される様々な概念は、それらの特定の名称にかかわらずすべての適切なエンティティに対して適用されることが意図される。
【００１３】
無線通信システムは、スペクトル効率を向上させ、コストを低減させ、サービスを向上させ、新しいスペクトルを利用し、及びその他のオープン規格とより良く統合するためにユニバーサル移動体通信システム（ＵＭＴＳ）携帯電話規格の一組の拡張であるロングタームエボリューション（Ｌｏｎｇ  Ｔｅｒｍ  Ｅｖｏｌｕｔｉｏｎ）（ＬＴＥ）をサポートするように構成することができる。
【００１４】
しかしながら、本開示全体を通じて提示される様々な概念は、その他の適切な無線技術及び／又はエアインタフェース規格にまで拡大可能であることを当業者は容易に理解するであろう。一例として、無線通信システムは、ＯＦＤＭ通信をサポートするＩＥＥＥ  ８０２．１１システム、ＣＤＭＡ通信をサポートするＩＳ−２０００、ＩＳ−９５、ＩＳ−８５６、又は広帯域−ＣＤＭＡ（ＷＣＤＭＡ（登録商標））、又はＴＤＭＡ通信をサポートするグローバル移動体通信システム（ＧＳＭ（登録商標））であることができる。
【００１５】
図２は、ＵＥ１０２又はｅＮｏｄｅＢ１０４であることができる装置２００のためのハードウェア構成を示す概念的ブロック図である。装置２００は、無線インタフェース２０２と、処理システム２０４と、機械によって読み取り可能な媒体２０６と、を含むことができる。無線インタフェース２０２は、１つまたは複数のアンテナを含み、及び無線媒体を通じての２方向通信をサポートするためのトランシーバを含むことができる。代替として、無線インタフェース２０２は、１方向の通信をサポートするための送信機又は受信機を含むことができる。後続する詳細な説明においては、無線インタフェース２０２は、本発明の特定の態様を示すために送信機又は受信機として説明することができる。該言及は、無線インタフェース２０２が送信動作及び受信動作の両方を行うことができないということは暗示しない。
【００１６】
無線インタフェース２０２は、処理システム２０４内に組み入れること又は装置内の複数のエンティティにおいて分散することができる。無線インタフェース２０２及び処理システム２０４は、エボルブド（Ｅｖｏｌｖｅｄ）ＵＭＴＳ地上無線アクセス（Ｅ−ＵＴＲＡ）エアインタフェースをサポートすることができる。Ｅ−ＵＴＲＡは、モバイルネットワークのための３ＧＰＰのＬＴＥアップグレード経路のエアインタフェースである。Ｅ−ＵＴＲＡは、より多くのユーザ及びより高いデータレートをサポートするために直交周波数分割多重（ＯＦＤＭ）及び多入力多出力（ＭＩＭＯ）アンテナ技術を用いる。
【００１７】
処理システム２０４は、１つまたは複数のプロセッサとともに実装することができる。１つまたは複数のプロセッサは、情報の計算又はその他の処理を行うことができる汎用マイクロプロセッサ、マイクロコントローラ、デジタル信号プロセッサ（ＤＳＰ）、フィールドプログラマブルゲートアレイ（ＦＰＧＡ）プログラマブル論理デバイス（ＰＬＤ）、コントローラ、集積回路、ステートマシン、ゲーテッドロジック（ｇａｔｅｄ  ｌｏｇｉｃ）、ディスクリートハードウェアコンポーネント、又はその他のあらゆる適切なエンティティのあらゆる組合せとともに実装することができる。
【００１８】
処理システム２０４は、ソフトウェアを格納するための機械によって読み取り可能な媒体２０６に結合される。代替として、処理システム２０４は、それ自体が、機械によって読み取り可能な媒体２０６を含むことができる。ソフトウェアは、ソフトウェア、ファームウェア、ミドルウェア、マイクロコード、ハードウェア記述言語、又はその他のいずれで呼ばれるかにかかわらず、あらゆるタイプの命令を意味すると広義で解釈するものとする。命令は、符号（例えば、ソースコードフォーマット、バイナリコードフォーマット、実行可能コードフォーマット、又は符号のその他の適切なフォーマット）を含むことができる。命令は、１つまたは複数のプロセッサによって実行されたときには、以下において説明される様々な機能、及び様々なプロトコル処理機能を実行することを処理システム２０４に行わせる。
【００１９】
機械読み取り可能媒体２０６は、ランダムアクセスメモリ（ＲＡＭ）、フラッシュメモリ、読み取り専用メモリ（ＲＯＭ）、プログラマブルＲＯＭ（ＰＲＯＭ）、消去可能ＰＲＯＭ（ＥＰＲＯＭ）、レジスタ、ハードディスク、取り外し可能なディスク、ＣＤ−ＲＯＭ、ＤＶＤ、搬送波、送信ライン、その他のあらゆる適切な記憶デバイス、又は命令を送信することができる媒体であるその他のいずれかの装置又は手段であることができる。
【００２０】
装置２００は、パーフォレイテッド・スペクトラム（ｐｅｒｆｏｒａｔｅｄ  ｓｐｅｃｔｒｕｍ）において動作するように構成され、従って、互いに素な（ｄｉｓｊｏｉｎｔ）（すなわち、隣接しない）ダウンリンク（ＤＬ）及びアップリンク（ＵＬ）の周波数割り当て及び非対称的なＤＬ／ＵＬ帯域幅をサポートし、及び所定の時間に互いに素な周波数割り当て（すなわち、搬送波）で送信することができる。搬送波のうちの１つ以上は、搬送波のうちの他方と比較して互いに素であること及び／又は非対称的な帯域幅を有することができる。搬送波が非対称的な帯域幅を有するかどうかは、ＵＬ及びＤＬのためのトラフィック要求に依存することができる。より低いトラフィック要求を有するか又はバッテリ電力を節約する必要性を有するＵＥは、５ＭＨｚの帯域幅を有するＤＬ搬送波を利用することができ、より高いトラフィック要求を有するＵＥは、より大きい帯域幅を有する複数のＤＬ搬送波を利用することができる。
【００２１】
装置２００は、複数の搬送波が特定の帯域幅内でセグメント化され、このためこれらの複数の搬送波が隣接する周波数割り当てを有するＤＬ及びＵＬでの多セグメント動作をサポートする。装置２００は、低データレートのための制御及びデータ送信を狭帯域（例えば、５ＭＨｚ）内に制限することを通じて低いバッテリ消費を可能にすることができ、レガシーシステム、例えば、ＬＴＥリリース８との後方互換性（ｂａｃｋｗａｒｄ  ｃｏｍｐａｔｉｂｉｌｉｔｙ）を提供する。
【００２２】
ＬＴＥシステムのためのＤＬ送信方式は、ＯＦＤＭＡベースである。ＵＬ方式は、ＯＦＤＭＡ、ＳＣ−ＦＤＭＡ、又は単一搬送波の割り当てのための後方互換性を提供するためにＯＦＤＭＡとＳＣ−ＦＤＭＡとの間での切り替えの可能性を有するＯＦＤＭＡ／ＳＣ−ＦＤＭＡハイブリッドであることができる。
【００２３】
装置２００は、ＤＬ搬送波とＵＬ搬送波との間での搬送波ペアリングをサポートするようにさらに構成される。ペアリングは、１つまたは複数のＤＬ搬送波と１つまたは複数のＵＬ搬送波との間であることができる。一構成においては、少なくとも１つのＤＬ搬送波が複数のＵＬ搬送波と対にされるか又は複数のＤＬ搬送波が少なくとも１つのＵＬ搬送波と対にされ、従って、ＤＬ搬送波及びＵＬ搬送波のペアリンググループは、少なくとも３つの搬送波を含む。
【００２４】
図３は、装置２００のためのＤＬ／ＵＬ搬送波のペアリングの例を示すブロック図である。図３は、３つのＤＬ搬送波、搬送波０帯域３０４、搬送波１帯域３０６、及び搬送波２帯域３０８、のための１つの送信時間間隔（ＴＴＩ）３０２を示す。ＤＬ搬送波の各々は、レガシー制御部３１０と、ペイロード部３１２と、を含む。搬送波０帯域３０４は、ペイロード部内の多搬送波制御領域３１４も含む。
【００２５】
図３において、搬送波０帯域３０４は、１つのＵＬ搬送波０（３２８）と対にされ、搬送波１帯域３０６及び搬送波２帯域３０８は、両方とも第２のＵＬ搬送波２（３３０）と対にされる。図３は、２つのＤＬ搬送波、搬送波１帯域３０６及び搬送波２帯域３０８、と対にされるＵＬ搬送波１（３３０）で通信されるチャネル品質指示（ＣＱＩ）フィードバック及び確認応答（ＡＣＫ／ＮＡＣＫ）メッセージのマッピング３２０を示す。図３に示されるように、２つのＤＬ搬送波によって共有されるＵＬ搬送波１（３３０）は、ＵＬ搬送波１（３３０）の異なる周波数帯域に分離されたＤＬ搬送波１及びＤＬ搬送波２のためのＣＱＩフィードバック３２２及びＡＣＫ３２４を受信する。ＤＬ搬送波１のためのＡＣＫ３２４は、ＣＱＩ境界において開始し、ＤＬ搬送波２のためのＡＣＫ３２６は、搬送波１のためのＡＣＫの最後にマッピングされてＣ２のためのＣＱＩ境界として指定された境界において開始するようにマッピングされる。
【００２６】
図３に示されるように、ＵＬ搬送波１（３３０）は、２つのＤＬ搬送波３０６、３０８と対にされ、ＵＬ搬送波０（３２８）は、ＤＬ搬送波３０４と対にされる。ＵＬ搬送波０（３２８）は、ＤＬ搬送波３０４のための制御情報を受信し、ＵＬ搬送波１（３３）は、ＤＬ搬送波３０６、３０８のためのＵＬ制御情報を受信する。ＵＬ制御情報は、ＣＱＩフィードバックと、ＤＬハイブリッド自動再送要求（ＨＡＲＱ）ＡＣＫ／ＮＡＣＫフィードバックと、を含むことができる。同様に、ＤＬ搬送波３０４は、ＵＬ搬送波０（３２８）のためのＤＬ制御情報を受信し、及びＤＬ搬送波３０６、３０８は、ＵＬ搬送波１（３３０）のためのＤＬ制御情報を受信する。ＤＬ制御情報は、ＵＬ  ＨＡＲＱフィードバックと、ＵＬ許可（ｇｒａｎｔ）と、ＤＬ許可と、を含む。
【００２７】
搬送波ペアリングは、ｅＮｏｄｅＢ１０４による決定に従って半静的又は動的であることができる。半静的なペアリングに関しては、ｅＮｏｄｅＢ１０４は、システム情報ブロック（ＳＩＢ）においてシステム情報をブロードキャストすることによってペアリングをすべてのＵＥに通知することができる。代替として、ｅＮｏｄｅＢ１０４は、ＲＲＣ接続セットアップメッセージ内での無線リソース制御（ＲＲＣ）シグナリングを通じての専用シグナリングを用いてペアリングを各ＵＥ１０２に連絡することができる。動的ペアリングに関しては、ｅＮｏｄｅＢ１０４は、許可メッセージに含まれるメディアアクセス制御（ＭＡＣ）シグナリングを通じてペアリングをＵＥ１０２に通知することができる。
【００２８】
図４は、装置２００に関するアンカー搬送波を用いたアップリンク／ダウンリンクペアリングを示す図である。図４に示されるように、ＤＬ搬送波１（ＤＬ  Ｃ１）及びＤＬ搬送波２（ＤＬ  Ｃ２）は、ＵＬ搬送波１（ＵＬ  Ｃ１）と対にされ、ＤＬ搬送波３（ＤＬ
Ｃ３）は、ＵＬ搬送波２（ＵＬ  Ｃ２）と対にされる（４０２）。上述されるように、いずれの搬送波で制御情報が送信されるかは、ペアリングに基づくことができる。代替として、いずれの搬送波で制御情報が送信されるかは、指定されたアンカー搬送波が存在するかどうかに基づくことができる。ペアリングに基づくときには、ＵＬ  Ｃ１は、ＤＬ  Ｃ１及びＤＬ  Ｃ２のための制御情報を受信し、ＤＬ  Ｃ１及びＤＬ  Ｃ２は、ＵＬ  Ｃ１のための制御情報を受信し、ＵＬ  Ｃ２は、ＤＬ  Ｃ３のための制御情報を受信し、ＤＬ  Ｃ３は、ＵＬ  Ｃ２のための制御情報を受信する。指定されるアンカー搬送波が存在するかどうかに基づくときには、制御情報は、搬送波がペアリング外にある場合でも、対応する搬送波のうちの１つまたは複数のためのアンカー搬送波で送信される。例えば、ＤＬ  Ｃ１がＤＬ搬送波Ｃ１、Ｃ２、及びＣ３のためのアンカー搬送波（４０４）として指定され及びＵＬ  Ｃ１がＵＬ搬送波Ｃ１及びＣ２のためのアンカー搬送波（４０６）として指定される場合は、ＵＬ  Ｃ１は、ＤＬ搬送波Ｃ１、Ｃ２、及びＣ３のための制御情報を受信し、ＤＬ  Ｃ１は、ＵＬ搬送波Ｃ１及びＣ２のための制御情報を受信する。
【００２９】
アップリンク搬送波及びダウンリンク搬送波の各々のために１つまたは複数のアンカー搬送波を定義することができる。アップリンク及びダウンリンクでの制御情報の送信は、アップリンク及びダウンリンク搬送波の各々のための指定されたペアリング又は指定されたアンカーに基づく。ｅＮｏｄｅＢ１０４は、ペアリングを決定し、ｅＮｏｄｅＢ１０４が通信中のＵＥ１０２に対してそのペアリングを通信する。ｅＮｏｄｅＢ１０４は、システム情報ブロードキャストを通じて全ＵＥ１０２に対して又は専用シグナリングを通じて各ＵＥ１０２に対してペアリングを通信することができる。ＵＥ１０２は、ｅＮｏｄｅＢ１０４からペアリング情報を受信し、ブロードキャスト又は専用シグナリングからペアリングを特定する（ｉｄｅｎｔｉｆｙ）。
【００３０】
図４に関して説明されるように、アンカー搬送波が存在するときには、複数のＤＬ搬送波のための制御情報を１つのＵＬ搬送波（ＵＬアンカー搬送波）で搬送波することができる。特定のＤＬ搬送波のための制御情報が搬送されるＵＬアンカー搬送波は、必ずしもそれらの特定のＤＬ搬送波が対にされている相手であるＵＬ搬送波ではない。ｅＮｏｄｅＢ１０４は、ＳＩＢにおいて又はＲＲＣシグナリング等の専用シグナリングを通じてアンカー搬送波をＵＥ１０２に通知することができる。ｅＮｏｄｅＢ１０４は、ＵＬ／ＤＬペアリング及びアンカー搬送波をＳＩＢにおいてＵＥに通知する。ＳＩＢは、搬送波の位置（すなわち、搬送波の中心周波数）と、搬送波帯域幅と、搬送波指定（ＤＬ／ＵＬ）と、搬送波のペアリングと、アンカー搬送波情報と、を含むことができる。一構成においては、制御情報の一部は、アンカー搬送波を通じて送信することができ及びその他の制御情報は、対にされた搬送波を通じて送信することができる。例えば、ｅＮｏｄｅＢ１０４は、ＣＱＩフィードバック及び／又はＤＬ  ＨＡＲＱフィードバックが指定されたＵＬアンカー搬送波ではなく対にされたＵＬ搬送波で送信されることをブロードキャスト又はＲＲＣシグナリングを通じてフラグを用いて示すことが可能である。
【００３１】
ＤＬでのＵＬ  ＨＡＲＱフィードバックは、ＵＬ許可が送信されたＤＬ搬送波で来ることができる。多搬送波許可に関しては、異なるＵＬ搬送波のためのＨＡＲＱフィードバックは、許可が送信されたアンカー搬送波で送信することができる。リソースマッピングの必要性は、異なる搬送波のためのＡＣＫが区別されるような形で調整することができる。一構成においては、ＨＡＲＱフィードバックは、必ずしも許可が送信された搬送波ではなく、送信が生じたＵＬ搬送波と対にされたＤＬ搬送波で送信されることをフラグが示すことができる。上述されるように、システム情報は、ブロードキャスト又はＲＲＣシグナリング等の専用シグナリングを通じて搬送することができる。データがＵＥ１０２へのデータ送信のために用いられる複数のＵＬ搬送波にわたって一緒に符号化される場合は、（ＵＥのＵＬ送信のために用いられるすべてのＵＬ搬送波に関する）ＤＬ許可が送信されたアンカー搬送波においてマッピングされた１つの対応するＨＡＲＱフィードバックが存在することが可能であり、又はＵＬ送信が生じた対にされたＵＬ搬送波に対応するＤＬ搬送波においてマッピングされた複数の繰り返されたＨＡＲＱフィードバックが存在することが可能である。
【００３２】
ＵＬでのＤＬ  ＨＡＲＱフィードバックは、許可が送信されたＤＬ搬送波と対にされたＵＬ搬送波で来ることができる。多搬送波許可に関しては、異なるＤＬ搬送波のためのＨＡＲＱフィードバックは、許可が送信されたＤＬアンカー搬送波と対にされたＵＬ搬送波で送信することができる。リソースマッピングは、異なる搬送波のためのＡＣＫを区別するのを可能にすることができる。複数のＤＬ搬送波を１つのＵＬ搬送波にマッピングすることができる。ＳＣ−ＦＤＭＡに関しては、同じＵＬ搬送波と対にされたその他のＤＬ搬送波のためにＨＡＲＱフィードバックによって用いられるリソースを補償するために該当するＣＱＩフィードバックスペースシフト（ｓｐａｃｅ  ｓｈｉｆｔ）を用いることができる。すべてのＤＬ搬送波のためのＣＱＩフィードバックを、ＲＲＣシグナリングでのフィードバックのために指定されたブロックにおいて送信することができる。
【００３３】
制御情報に加えて、アンカー搬送波は、システム情報及びデータを搬送することもできる。アンカー搬送波は、搬送波の部分組のために定義することができる。部分組は、すべての搬送波を含むことができ又は適切な部分組であってすべて未満の搬送波を含むことができる。このため、搬送波の組のために複数のアンカー搬送波を定義することができ及び搬送波の異なるグループのために幾つかのアンカー搬送波が存在することができる。アンカー搬送波が１つだけの搬送波のために定義される場合は、そのアンカー搬送波が正規の搬送波として働く。例えば、ＵＬ搬送波が１つのＤＬ搬送波のためのアンカー搬送波である場合は、ＵＬアンカー搬送波はその他のＤＬ搬送波のための情報（すなわち、システム情報、制御情報、データ）を受信しないため、そのＵＬ搬送波が１つのＤＬ搬送波のための正規のアンカー搬送波として働く。
【００３４】
非アンカー搬送波は、レガシー（例えば、ＬＴＥリリース８）システム情報及びアンカー搬送波を指し示すための追加のＳＩＢを搬送することができる。アンカー搬送波でのＤＬ許可は、それがアンカー搬送波であると定義される対象となるその他のＤＬ搬送波でＤＬリソースを割り当てる。アンカー搬送波でないＤＬ搬送波でのＤＬ許可は、その搬送波のみのためのＤＬリソースを割り当てることができる。多搬送波割り当ては、アンカー搬送波で１つの一緒に符号化された許可として来ることができる。一緒に符号化された許可は、多搬送波グループ内のあらゆる搬送波のための割り当てを搬送することができる。ＤＬ／ＵＬ制御は、レガシー制御領域において又はレガシーデータスペース内の専用の／指定された追加の制御スペースにおいて搬送することができる。アンカー搬送波でのＵＬ許可は、それがアンカー搬送波であることが定義される対象となるその他のＵＬ搬送波でＵＬリソースを割り当てる。複数のＵＬ搬送波にわたるＵＬ割り当ては、一緒の又は独立したデータ符号化を仮定することが可能である。アンカー搬送波でないＤＬ搬送波でのＵＬ許可は、ＤＬが対にされている相手であるＵＬ搬送波のためのリソースのみを割り当てることができる。
【００３５】
ｅＮｏｄｅＢ１０４は、スケジューラを含む。スケジューラは、搬送波間で独立していること又はすべての又は部分組の搬送波にわたって共同であることができる。データが複数の搬送波にわたって一緒に符号化されるときには、スケジューラは、共同スケジューラである。複数の搬送波にわたる共同スケジューラは、それが必要でない場合でも、より良いリソース利用を提供することが可能である。ＤＬスケジューラに関しては、ＵＥ１０２は、１つ又は複数のＤＬ搬送波でスケジューリングすることができる。各ＵＬは、ＯＦＤＭＡに基づくＵＬの場合は独立して又は一緒に符号化されたパケットを搬送することができる。ＵＬスケジューラに関しては、ＵＥ１０２は、１つ又は複数のＵＬ搬送波でスケジューリングすることができる。各ＵＬは、ＳＣ−ＦＤＭＡに基づくＵＬの場合は独立して符号化されたパケットを搬送することができる。各ＵＬは、ＯＦＤＭＡに基づくＵＬの場合は独立して又は一緒に符号化されたパケットを搬送することができる。
【００３６】
図５は、処理システム２０４によって実装される典型的なアルゴリズムを示す概念的ブロック図である。処理システム２０４は、アルゴリズムを実装時には、１つまたは複数のＵＬ搬送波と１つまたは複数のＤＬ搬送波との間でのペアリングを決定するための手段及びペアリング又はアンカー搬送波の指定に基づいて搬送波のうちの１つ以上で制御情報をやりとりするための手段を提供する。処理システム２０４は、ｅＮｏｄｅＢ１０４又はＵＥ１０２内に常駐することができ、及びＤＬ及びＵＬ搬送波のペアリングを決定するように構成される（５００）。処理システム２０４がＵＥ１０２内に常駐するときには、ＵＥ１０２は、ｅＮｏｄｅＢ１０４からペアリング情報を受信し、受信されたペアリング情報からＤＬ及びＵＬ搬送波のペアリングを特定する。処理システム２０４がｅＮｏｄｅＢ内に常駐するときには、処理システム２０４は、ＤＬ及びＵＬ搬送波のペアリングを決定し、ｅＮｏｄｅＢ１０４が通信中であるＵＥ１０２にそのペアリングを通信する。通信は、個々のＵＥ１０２に対する専用シグナリングであることができ又は全ＵＥ１０２に対するシステム情報のブロードキャストであることができる。一構成においては、ペアリングは、少なくとも１つのＤＬ搬送波と複数のＵＬ搬送波との間又は複数のＤＬ搬送波と少なくとも１つのＵＬ搬送波との間である。概して、２つ以上のＤＬ搬送波をＵＬ搬送波と対にすることができ、２つ以上のＵＬ搬送波をＤＬ搬送波と対にすることができ、又は複数のＤＬ搬送波を複数のＵＬ搬送波と対にすることができる。処理システム２０４は、ペアリング又はアンカー搬送波が搬送波のために指定されているかどうかに基づいていずれの搬送波で制御情報をやりとり（すなわち、提供又は受信）すべきかを決定する。ペアリングに基づくときには、ＵＬ搬送波は、ＵＬ搬送波が対にされた相手であるＤＬ搬送波のための制御情報を搬送し、ＤＬ搬送波は、ＤＬ搬送波が対にされた相手であるＵＬ搬送波のための制御情報を搬送する。指定されたアンカー搬送波に基づくときには、指定されたアンカー搬送波は、アンカー搬送波が指定されている対象である搬送波のための制御情報を搬送する。アンカー搬送波は、ペアリング内に存在することができ又はペアリング内に存在しないことができる。いずれの搬送波が制御情報を搬送するかを決定した後は、処理システム２０４は、ペアリング又はアンカー搬送波の指定に基づいて搬送波のうちの１つ以上で制御情報をやりとりする（すなわち、提供又は受信する）（５０２）。
【００３７】
ステップ５０２に関して、処理システム２０４がＵＥ１０２内に常駐するときには、ＵＥ１０２は、ペアリング又はアンカー搬送波の指定に基づいて搬送波のうちの１つ以上でＤＬで制御情報を受信し及びペアリング又はアンカー搬送波の指定に基づいて搬送波のうちの１つ以上でＵＬで制御情報を提供する。同様に、処理システム２０４がｅＮｏｄｅＢ１０４内に常駐するときには、ｅＮｏｄｅＢ１０４は、ペアリング又はアンカー搬送波の指定に基づいて搬送波のうちの１つ以上でＵＬで制御情報を受信し及びペアリング又はアンカー搬送波の指定に基づいて搬送波のうちの１つ以上でＤＬで制御情報を提供する。
【００３８】
図６は、典型的な装置の機能を示す概念的ブロック図である。装置２００は、ダウンリンク及びアップリンク搬送波のペアリングを決定するためのモジュール（６０２）と、ペアリング又はアンカー搬送波の指定に基づいて搬送波のうちの１つ以上で制御情報を提供又は受信するためのモジュール（６０４）と、を含む。モジュール６０２及び６０４は、処理システム２０４及び／又は無線インタフェース２０２の一部であることができる。
【００３９】
上記の説明は、当業者が本開示の完全な適用範囲を十分に理解するのを可能にするために提供される。ここにおいて開示される様々な構成に対する修正は、当業者にとって容易に明確になるであろう。従って、請求項は、ここにおいて説明される開示の様々な態様に限定されることは意図されず、請求項の文言に一致する完全な適用範囲が認められるべきであり、ここで、単数形の要素への言及は、その旨特記されない限り“１つ及び１つのみ”を意味することは意図されず、むしろ“１つ以上”であることを意味することが意図される。別に特記されない限り、用語“幾つかの”は、１つ以上を意味する。要素の組み合わせの中の少なくとも１つ（例えば、“Ａ、Ｂ、又はＣのうちの少なくとも１つ”）を記述する請求項は、記述された要素のうちの１つ以上（例えば、Ａ、又はＢ、又はＣ、又はそれらの組み合わせ）を意味する。当業者にとって既知であるか又はのちに知られることになる本開示全体を通じて説明される様々な態様の要素のすべての構造上の及び機能上の同等物は、ここにおいて引用することによって明示で組み入れられており、請求項によって包含されることが意図される。さらに、ここにおいて開示される何物も、該開示が請求項において明示されるかどうかにかかわらず公衆に開放されることは意図されない。いずれの請求項要素も、その要素が句“ための手段”を用いて明示されない限り、又は方法請求項の場合はその要素が句“ためのステップ”を用いて記述されない限り、３５Ｕ．Ｓ．Ｃ．§１１２、第６段落の規定に基づいて解釈されるべきではない。
【図１】
2015039183.tif 000003
【図２】
2015039183.tif 000004
【図３】
2015039183.tif 000005
【図４】
2015039183.tif 000006
【図５】
2015039183.tif 000007
【図６】
2015039183.tif 000008
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
無線通信システムにおいて用いられる方法であって、
１つまたは複数のアップリンク搬送波と１つまたは複数のダウンリンク搬送波との間でのペアリングを決定すること、前記１つまたは複数のアップリンク搬送波及び前記１つまたは複数のダウンリンク搬送波は、少なくとも３つの搬送波を備える、
前記ペアリング又はアンカー搬送波の指定に基づいて前記搬送波のうちの１つ以上で制御情報をやりとりすること、を備える、無線通信システムにおいて用いられる方法。
【手続補正２】
【補正対象書類名】明細書
【補正対象項目名】００２５
【補正方法】変更
【補正の内容】
【００２５】
図３において、搬送波０帯域３０４は、１つのＵＬ搬送波０（３２８）と対にされ、搬送波１帯域３０６及び搬送波２帯域３０８は、両方とも第２のＵＬ搬送波１（３３０）と対にされる。図３は、２つのＤＬ搬送波、搬送波１帯域３０６及び搬送波２帯域３０８、と対にされるＵＬ搬送波１（３３０）で通信されるチャネル品質指示（ＣＱＩ）フィードバック及び確認応答（ＡＣＫ／ＮＡＣＫ）メッセージのマッピング３２０を示す。図３に示されるように、２つのＤＬ搬送波によって共有されるＵＬ搬送波１（３３０）は、ＵＬ搬送波１（３３０）の異なる周波数帯域に分離されたＤＬ搬送波１及びＤＬ搬送波２のためのＣＱＩフィードバック３２２及びＡＣＫ３２４を受信する。ＤＬ搬送波１のためのＡＣＫ３２４は、ＣＱＩ境界において開始し、ＤＬ搬送波２のためのＡＣＫ３２６は、搬送波１のためのＡＣＫの最後にマッピングされてＣ２のためのＣＱＩ境界として指定された境界において開始するようにマッピングされる。
【手続補正３】
【補正対象書類名】明細書
【補正対象項目名】００３９
【補正方法】変更
【補正の内容】
【００３９】
上記の説明は、当業者が本開示の完全な適用範囲を十分に理解するのを可能にするために提供される。ここにおいて開示される様々な構成に対する修正は、当業者にとって容易に明確になるであろう。従って、請求項は、ここにおいて説明される開示の様々な態様に限定されることは意図されず、請求項の文言に一致する完全な適用範囲が認められるべきであり、ここで、単数形の要素への言及は、その旨特記されない限り“１つ及び１つのみ”を意味することは意図されず、むしろ“１つ以上”であることを意味することが意図される。別に特記されない限り、用語“幾つかの”は、１つ以上を意味する。要素の組み合わせの中の少なくとも１つ（例えば、“Ａ、Ｂ、又はＣのうちの少なくとも１つ”）を記述する請求項は、記述された要素のうちの１つ以上（例えば、Ａ、又はＢ、又はＣ、又はそれらの組み合わせ）を意味する。当業者にとって既知であるか又はのちに知られることになる本開示全体を通じて説明される様々な態様の要素のすべての構造上の及び機能上の同等物は、ここにおいて引用することによって明示で組み入れられており、請求項によって包含されることが意図される。さらに、ここにおいて開示される何物も、該開示が請求項において明示されるかどうかにかかわらず公衆に開放されることは意図されない。いずれの請求項要素も、その要素が句“ための手段”を用いて明示されない限り、又は方法請求項の場合はその要素が句“ためのステップ”を用いて記述されない限り、３５Ｕ．Ｓ．Ｃ．§１１２、第６段落の規定に基づいて解釈されるべきではない。
以下に本願出願当初の特許請求の範囲を付記する。
[Ｃ１]  無線通信システムにおいて用いられる方法であって、
１つまたは複数のアップリンク搬送波と１つまたは複数のダウンリンク搬送波との間でのペアリングを決定すること、前記１つまたは複数のアップリンク搬送波及び前記１つまたは複数のダウンリンク搬送波は、少なくとも３つの搬送波を備える、
前記ペアリング又はアンカー搬送波の指定に基づいて前記搬送波のうちの１つ以上で制御情報をやりとりすること、を備える、無線通信システムにおいて用いられる方法。
[Ｃ２]  前記ペアリングを前記決定することは、前記１つまたは複数のアップリンク搬送波と前記１つまたは複数のダウンリンク搬送波との間での前記ペアリングを決定することを備えるＣ１に記載の方法。
[Ｃ３]  前記ペアリングを前記決定することは、ブロードキャストされたシステム情報又は専用シグナリングから前記１つまたは複数のアップリンク搬送波と前記１つまたは複数のダウンリンク搬送波との間での前記ペアリングを特定することを備えるＣ１に記載の方法。
[Ｃ４]  前記ペアリングに基づくときに、前記制御情報を前記やりとりすることは、前記１つまたは複数のアップリンク搬送波が対にされている相手である前記１つまたは複数のダウンリンク搬送波のための前記制御情報を前記１つまたは複数の搬送波のうちのすべてでやりとりすることを備えるＣ１に記載の方法。
[Ｃ５]  前記ペアリングに基づくときに、前記制御情報を前記やりとりすることは、前記１つまたは複数のダウンリンク搬送波が対にされている相手である前記１つまたは複数のアップリンク搬送波のための前記制御情報を前記１つまたは複数のダウンリンク搬送波のうちのすべてでやりとりすることを備えるＣ１に記載の方法。
[Ｃ６]  アンカー搬送波がアップリンクのために指定されるときに、前記制御情報を前記やりとりすることは、前記１つまたは複数のアップリンク搬送波が対にされている相手である前記１つまたは複数のダウンリンク搬送波のためのすべての前記制御情報を前記指定されたアップリンクアンカー搬送波でやりとりすることを備えるＣ１に記載の方法。
[Ｃ７]  前記指定されたアップリンクアンカー搬送波は、１つまたは複数のその他のアップリンク搬送波が対にされている相手である前記１つまたは複数のダウンリンク搬送波と対にされないＣ６に記載の方法。
[Ｃ８]  前記指定されたアップリンクアンカー搬送波は、前記１つまたは複数のアップリンク搬送波のうちの１つであるＣ６に記載の方法。
[Ｃ９]  アンカー搬送波がダウンリンクのために指定されるときに、前記制御情報を前記やりとりすることは、前記１つまたは複数のダウンリンク搬送波が対にされている相手である前記１つまたは複数のアップリンク搬送波のためのすべての前記制御情報を前記指定されたダウンリンクアンカー搬送波でやりとりすることを備えるＣ１に記載の方法。
[Ｃ１０]  前記指定されたダウンリンクアンカー搬送波は、１つまたは複数のその他のダウンリンク搬送波が対にされている相手である前記１つまたは複数のアップリンク搬送波と対にされないＣ９に記載の方法。
[Ｃ１１]  前記指定されたダウンリンクアンカー搬送波は、前記１つまたは複数のダウンリンク搬送波のうちの１つであるＣ９に記載の方法。
[Ｃ１２]  前記制御情報は、チャネル品質指示フィードバック、ハイブリッド自動再送要求フィードバック、ダウンリンク許可、又はアップリンク許可のうちの少なくとも１つを備えるＣ１に記載の方法。
[Ｃ１３]  前記制御情報は、前記搬送波のデータスペース内でやりとりされるＣ１に記載の方法。
[Ｃ１４]  前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有するＣ１に記載の方法。
[Ｃ１５]  前記ペアリングを決定することは、すべての利用可能なダウンリンク搬送波及びアップリンク搬送波のための複数のペアリングを決定することを備え、
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有するＣ１に記載の方法。
[Ｃ１６]  無線通信システムにおいて動作可能な装置であって、
１つまたは複数のアップリンク搬送波と１つまたは複数のダウンリンク搬送波との間でのペアリングを決定するための手段であって、前記１つまたは複数のアップリンク搬送波及び前記１つまたは複数のダウンリンク搬送波は、少なくとも３つの搬送波を備える手段と、
前記ペアリング又はアンカー搬送波の指定に基づいて前記搬送波のうちの１つ以上で制御情報をやりとりするための手段と、を備える、無線通信システムにおいて動作可能な装置。
[Ｃ１７]  前記ペアリングを決定するための前記手段は、前記１つまたは複数のアップリンク搬送波と前記１つまたは複数のダウンリンク搬送波との間での前記ペアリングを決定するＣ１６に記載の装置。
[Ｃ１８]  前記ペアリングを決定するための前記手段は、ブロードキャストされたシステム情報又は専用シグナリングから前記１つまたは複数のアップリンク搬送波と前記１つまたは複数のダウンリンク搬送波との間での前記ペアリングを特定するＣ１６に記載の装置。
[Ｃ１９]  前記ペアリングに基づくときに、前記制御情報をやりとりするための前記手段は、前記１つまたは複数のアップリンク搬送波が対にされている相手である前記１つまたは複数のダウンリンク搬送波のための前記制御情報を前記１つまたは複数のアップリンク搬送波のうちのすべてでやりとりするＣ１６に記載の装置。
[Ｃ２０]  前記ペアリングに基づくときに、前記制御情報をやりとりするための前記手段は、前記１つまたは複数のダウンリンク搬送波が対にされている相手である前記１つまたは複数のアップリンク搬送波のための前記制御情報を前記１つまたは複数のダウンリンク搬送波のうちのすべてでやりとりするＣ１６に記載の装置。
[Ｃ２１]  アンカー搬送波がアップリンクのために指定されるときに、前記制御情報をやりとりするための前記手段は、前記１つまたは複数のアップリンク搬送波が対にされている相手である前記１つまたは複数のダウンリンク搬送波のためのすべての前記制御情報を前記指定されたアップリンクアンカー搬送波でやりとりするＣ１６に記載の装置。
[Ｃ２２]  前記指定されたアップリンクアンカー搬送波は、１つまたは複数のその他のアップリンク搬送波が対にされている相手である前記１つまたは複数のダウンリンク搬送波と対にされないＣ２１に記載の装置。
[Ｃ２３]  前記指定されたアップリンクアンカー搬送波は、前記１つまたは複数のアップリンク搬送波のうちの１つであるＣ２１に記載の装置。
[Ｃ２４]  アンカー搬送波がダウンリンクのために指定されるときに、前記制御情報をやりとりするための前記手段は、前記１つまたは複数のダウンリンク搬送波が対にされている相手である前記１つまたは複数のアップリンク搬送波のためのすべての前記制御情報を前記指定されたダウンリンクアンカー搬送波でやりとりするＣ１６に記載の装置。
[Ｃ２５]  前記指定されたダウンリンクアンカー搬送波は、１つまたは複数のその他のダウンリンク搬送波が対にされている相手である前記１つまたは複数のアップリンク搬送波と対にされないＣ２４に記載の装置。
[Ｃ２６]  前記指定されたダウンリンクアンカー搬送波は、前記１つまたは複数のダウンリンク搬送波のうちの１つであるＣ２４に記載の装置。
[Ｃ２７]  前記制御情報は、チャネル品質指示フィードバック、ハイブリッド自動再送要求フィードバック、ダウンリンク許可、又はアップリンク許可のうちの少なくとも１つを備えるＣ１６に記載の装置。
[Ｃ２８]  前記制御情報は、前記搬送波のデータスペース内でやりとりされるＣ１６に記載の装置。
[Ｃ２９]  前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有するＣ１６に記載の装置。
[Ｃ３０]  前記ペアリングを決定するための前記手段は、すべての利用可能なダウンリンク搬送波及びアップリンク搬送波のための複数のペアリングを決定し、及び
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有するＣ１６に記載の装置。
[Ｃ３１]  無線通信システムにおいて動作可能な装置であって、
１つまたは複数のアップリンク搬送波と１つまたは複数のダウンリンク搬送波との間でのペアリングを決定し、及び
前記ペアリング又はアンカー搬送波の指定に基づいて前記搬送波のうちの１つ以上で制御情報をやりとりするように構成された処理システムであって、前記１つまたは複数のアップリンク搬送波及び前記１つまたは複数のダウンリンク搬送波は、少なくとも３つの搬送波を備える処理システム、を備える、無線通信システムにおいて動作可能な装置。
[Ｃ３２]  前記ペアリングを決定するために、前記処理システムは、前記１つまたは複数のアップリンク搬送波と前記１つまたは複数のダウンリンク搬送波との間での前記ペアリングを決定するように構成されるＣ３１に記載の装置。
[Ｃ３３]  前記ペアリングを決定するために、前記処理システムは、ブロードキャストされたシステム情報又は専用シグナリングから前記１つまたは複数のアップリンク搬送波と前記１つまたは複数のダウンリンク搬送波との間での前記ペアリングを特定するように構成されるＣ３１に記載の装置。
[Ｃ３４]  前記ペアリングに基づくときに、前記処理システムは、前記１つまたは複数のアップリンク搬送波が対にされている相手である前記１つまたは複数のダウンリンク搬送波のための前記制御情報を前記１つまたは複数のアップリンク搬送波のうちのすべてでやりとりするように構成されるＣ３１に記載の装置。
[Ｃ３５]  前記ペアリングに基づくときに、前記処理システムは、前記１つまたは複数のダウンリンク搬送波が対にされている相手である前記１つまたは複数のアップリンク搬送波のための前記制御情報を前記１つまたは複数のダウンリンク搬送波のうちのすべてでやりとりするように構成されるＣ３１に記載の装置。
[Ｃ３６]  アンカー搬送波がアップリンクのために指定されるときに、前記処理システムは、前記１つまたは複数のアップリンク搬送波が対にされている相手である前記１つまたは複数のダウンリンク搬送波のためのすべての前記制御情報を前記指定されたアップリンクアンカー搬送波でやりとりするように構成されるＣ３１に記載の装置。
[Ｃ３７]  前記指定されたアップリンクアンカー搬送波は、１つまたは複数のその他のアップリンク搬送波が対にされている相手である前記１つまたは複数のダウンリンク搬送波と対にされないＣ３６に記載の装置。
[Ｃ３８]  前記指定されたアップリンクアンカー搬送波は、前記１つまたは複数のアップリンク搬送波のうちの１つであるＣ３６に記載の装置。
[Ｃ３９]  アンカー搬送波がダウンリンクのために指定されるときに、前記処理システムは、前記１つまたは複数のダウンリンク搬送波が対にされている相手である前記１つまたは複数のアップリンク搬送波のためのすべての前記制御情報を前記指定されたダウンリンクアンカー搬送波でやりとりするように構成されるＣ３１に記載の装置。
[Ｃ４０]  前記指定されたダウンリンクアンカー搬送波は、１つまたは複数のその他のダウンリンク搬送波が対にされている相手である前記１つまたは複数のアップリンク搬送波と対にされないＣ３９に記載の装置。
[Ｃ４１]  前記指定されたダウンリンクアンカー搬送波は、前記１つまたは複数のダウンリンク搬送波のうちの１つであるＣ３９に記載の装置。
[Ｃ４２]  前記制御情報は、チャネル品質指示フィードバック、ハイブリッド自動再送要求フィードバック、ダウンリンク許可、又はアップリンク許可のうちの少なくとも１つを備えるＣ３１に記載の装置。
[Ｃ４３]  前記制御情報は、前記搬送波のデータスペース内でやりとりされるＣ３１に記載の装置。
[Ｃ４４]  前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有するＣ３１に記載の装置。
[Ｃ４５]  前記ペアリングを決定するために、前記処理システムは、すべての利用可能なダウンリンク搬送波及びアップリンク搬送波のための複数のペアリングを決定するように構成され、
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有するＣ３１に記載の装置。
[Ｃ４６]  コンピュータプログラム製品であって、
１つまたは複数のアップリンク搬送波と１つまたは複数のダウンリンク搬送波との間でのペアリングを決定するための符号であって、前記１つまたは複数のアップリンク搬送波及び前記１つまたは複数のダウンリンク搬送波は、少なくとも３つの搬送波を備える符号と、
前記ペアリング又はアンカー搬送波の指定に基づいて前記搬送波のうちの１つ以上で制御情報をやりとりするための符号と、を備える、コンピュータによって読み取り可能な媒体、を備える、コンピュータプログラム製品。
[Ｃ４７]  前記ペアリングを決定するための前記符号は、前記１つまたは複数のアップリンク搬送波と前記１つまたは複数のダウンリンク搬送波との間での前記ペアリングを決定するための符号を備えるＣ４６に記載のコンピュータプログラム製品。
[Ｃ４８]  前記ペアリングを決定するための前記符号は、ブロードキャストされたシステム情報又は専用シグナリングから前記１つまたは複数のアップリンク搬送波と前記１つまたは複数のダウンリンク搬送波との間での前記ペアリングを特定するための符号を備えるＣ４６に記載のコンピュータプログラム製品。
[Ｃ４９]  前記ペアリングに基づくときに、前記制御情報をやりとりするための前記符号は、前記１つまたは複数のアップリンク搬送波が対にされている相手である前記１つまたは複数のダウンリンク搬送波のための前記制御情報を前記１つまたは複数のアップリンク搬送波のうちのすべてでやりとりするための符号を備えるＣ４６に記載のコンピュータプログラム製品。
[Ｃ５０]  前記ペアリングに基づくときに、前記制御情報を前記やりとりするための前記符号は、前記１つまたは複数のダウンリンク搬送波が対にされている相手である前記１つまたは複数のアップリンク搬送波のための前記制御情報を前記１つまたは複数のダウンリンク搬送波のうちのすべてでやりとりするための符号を備えるＣ４６に記載のコンピュータプログラム製品。
[Ｃ５１]  アンカー搬送波がアップリンクのために指定されるときに、前記制御情報をやりとりするための前記符号は、前記１つまたは複数のアップリンク搬送波が対にされている相手である前記１つまたは複数のダウンリンク搬送波のためのすべての前記制御情報を前記指定されたアップリンクアンカー搬送波でやりとりするための符号を備えるＣ４６に記載のコンピュータプログラム製品。
[Ｃ５２]  前記指定されたアンカー搬送波は、１つまたは複数のその他のアップリンク搬送波が対にされている相手である前記１つまたは複数のダウンリンク搬送波と対にされないＣ５１に記載のコンピュータプログラム製品。
[Ｃ５３]  前記指定されたアップリンクアンカー搬送波は、前記１つまたは複数のアップリンク搬送波のうちの１つであるＣ５１に記載のコンピュータプログラム製品。
[Ｃ５４]  アンカー搬送波がダウンリンクのために指定されるときに、前記制御情報をやりとりするための前記符号は、前記１つまたは複数のダウンリンク搬送波が対にされている相手である前記１つまたは複数のアップリンク搬送波のためのすべての前記制御情報を前記指定されたダウンリンクアンカー搬送波でやりとりするための符号を備えるＣ４６に記載のコンピュータプログラム製品。
[Ｃ５５]  前記指定されたダウンリンクアンカー搬送波は、１つまたは複数のその他のダウンリンク搬送波が対にされている相手である前記１つまたは複数のアップリンク搬送波と対にされないＣ５４に記載のコンピュータプログラム製品。
[Ｃ５６]
前記指定されたダウンリンクアンカー搬送波は、前記１つまたは複数のダウンリンク搬送波のうちの１つであるＣ５４に記載のコンピュータプログラム製品。
[Ｃ５７]  前記制御情報は、チャネル品質指示フィードバック、ハイブリッド自動再送要求フィードバック、ダウンリンク許可、又はアップリンク許可のうちの少なくとも１つを備えるＣ４６に記載のコンピュータプログラム製品。
[Ｃ５８]  前記制御情報は、前記搬送波のデータスペース内でやりとりされるＣ４６に記載のコンピュータプログラム製品。
[Ｃ５９]  前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有するＣ４６に記載のコンピュータプログラム製品。
[Ｃ６０]  前記ペアリングを決定するための前記符号は、すべての利用可能なダウンリンク搬送波及びアップリンク搬送波のための複数のペアリングを決定するための符号を備え、
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有するＣ４６に記載のコンピュータプログラム製品。
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
無線通信システムにおいて用いられる方法であって、
１つまたは複数のアップリンク搬送波と１つまたは複数のダウンリンク搬送波との間でのペアリングを決定すること、前記１つまたは複数のアップリンク搬送波及び前記１つまたは複数のダウンリンク搬送波は、少なくとも３つの搬送波を備える、
アンカー搬送波の指定に基づいて前記搬送波のうちの１つ以上で制御情報を交換すること、を備え、
前記制御情報の交換は、
アップリンクアンカー搬送波で前記複数のダウンリンク搬送波の制御情報を送信することと、
ダウンリンクアンカー搬送波で前記複数のアップリンク搬送波の制御情報を受信することを含む、
無線通信システムにおいて用いられる方法。
【請求項２】
前記ペアリングを前記決定することは、前記１つまたは複数のアップリンク搬送波と前記１つまたは複数のダウンリンク搬送波との間での前記ペアリングを決定することを備える請求項１に記載の方法。
【請求項３】
前記ペアリングを前記決定することは、ブロードキャストされたシステム情報又は専用シグナリングから前記１つまたは複数のアップリンク搬送波と前記１つまたは複数のダウンリンク搬送波との間での前記ペアリングを特定することを備える請求項１に記載の方法。
【請求項４】
前記決定することが、前記制御情報が前記ペアリングに基づいて交換されると決定することを備えるときに、前記制御情報を前記交換することは、前記１つまたは複数のアップリンク搬送波が対にされている相手である前記１つまたは複数のダウンリンク搬送波のための前記制御情報を前記１つまたは複数のアップリンク搬送波のうちのすべてで交換することを備える請求項１に記載の方法。
【請求項５】
前記決定することが、前記制御情報が前記ペアリングに基づいて交換されると決定することを備えるときに、前記制御情報を前記交換することは、前記１つまたは複数のダウンリンク搬送波が対にされている相手である前記１つまたは複数のアップリンク搬送波のための前記制御情報を前記１つまたは複数のダウンリンク搬送波のうちのすべてで交換することを備える請求項１に記載の方法。
【請求項６】
アンカー搬送波がアップリンクのために指定され、前記決定することが、前記制御情報が前記指定されたアンカー搬送波に基づいて交換されると決定することを備えるときに、前記制御情報を前記交換することは、前記１つまたは複数のアップリンク搬送波が対にされている相手である前記１つまたは複数のダウンリンク搬送波のためのすべての前記制御情報を前記指定されたアップリンクアンカー搬送波で交換することを備える請求項１に記載の方法。
【請求項７】
前記指定されたアップリンクアンカー搬送波は、１つまたは複数のその他のアップリンク搬送波が対にされている相手である前記１つまたは複数のダウンリンク搬送波と対にされない請求項６に記載の方法。
【請求項８】
前記指定されたアップリンクアンカー搬送波は、前記１つまたは複数のアップリンク搬送波のうちの１つである請求項６に記載の方法。
【請求項９】
アンカー搬送波がダウンリンクのために指定され、前記決定することが、前記制御情報が前記指定されたアンカー搬送波に基づいて交換されると決定することを備えるときに、前記制御情報を前記交換することは、前記１つまたは複数のダウンリンク搬送波が対にされている相手である前記１つまたは複数のアップリンク搬送波のためのすべての前記制御情報を前記指定されたダウンリンクアンカー搬送波で交換することを備える請求項１に記載の方法。
【請求項１０】
前記指定されたダウンリンクアンカー搬送波は、１つまたは複数のその他のダウンリンク搬送波が対にされている相手である前記１つまたは複数のアップリンク搬送波と対にされない請求項９に記載の方法。
【請求項１１】
前記指定されたダウンリンクアンカー搬送波は、前記１つまたは複数のダウンリンク搬送波のうちの１つである請求項９に記載の方法。
【請求項１２】
前記制御情報は、チャネル品質指示フィードバック、ハイブリッド自動再送要求フィードバック、ダウンリンク許可、又はアップリンク許可のうちの少なくとも１つを備える請求項１に記載の方法。
【請求項１３】
前記制御情報は、前記搬送波のデータスペース内で交換される請求項１に記載の方法。
【請求項１４】
前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有する請求項１に記載の方法。
【請求項１５】
前記ペアリングを決定することは、すべての利用可能なダウンリンク搬送波及びアップリンク搬送波のための複数のペアリングを決定することを備え、
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有する請求項１に記載の方法。
【請求項１６】
無線通信システムにおいて動作可能な装置であって、
１つまたは複数のアップリンク搬送波と１つまたは複数のダウンリンク搬送波との間でのペアリングを決定するための手段であって、前記１つまたは複数のアップリンク搬送波及び前記１つまたは複数のダウンリンク搬送波は、少なくとも３つの搬送波を備える手段と、
アンカー搬送波の指定に基づいて前記搬送波のうちの１つ以上で制御情報を交換するための手段と、を備え、
前記制御情を交換するための手段は、
アップリンクアンカー搬送波で前記複数のダウンリンク搬送波の制御情報を送信するための手段と、
ダウンリンクアンカー搬送波で前記複数のアップリンク搬送波の制御情報を受信するための手段とを含む、
無線通信システムにおいて動作可能な装置。
【請求項１７】
前記ペアリングを決定するための前記手段は、前記１つまたは複数のアップリンク搬送波と前記１つまたは複数のダウンリンク搬送波との間での前記ペアリングを決定する請求項１６に記載の装置。
【請求項１８】
前記ペアリングを決定するための前記手段は、ブロードキャストされたシステム情報又は専用シグナリングから前記１つまたは複数のアップリンク搬送波と前記１つまたは複数のダウンリンク搬送波との間での前記ペアリングを特定する請求項１６に記載の装置。
【請求項１９】
前記決定することが、前記制御情報が前記ペアリングに基づいて交換されると決定することを備えるときに、前記制御情報を交換するための前記手段は、前記１つまたは複数のアップリンク搬送波が対にされている相手である前記１つまたは複数のダウンリンク搬送波のための前記制御情報を前記１つまたは複数のアップリンク搬送波のうちのすべてで交換する請求項１６に記載の装置。
【請求項２０】
前記決定することが、前記制御情報が前記ペアリングに基づいて交換されると決定することを備えるときに、前記制御情報を交換するための前記手段は、前記１つまたは複数のダウンリンク搬送波が対にされている相手である前記１つまたは複数のアップリンク搬送波のための前記制御情報を前記１つまたは複数のダウンリンク搬送波のうちのすべてで交換する請求項１６に記載の装置。
【請求項２１】
アンカー搬送波がアップリンクのために指定され、前記決定することが、前記制御情報が前記指定されたアンカー搬送波に基づいて交換されると決定することを備えるときに、前記制御情報を交換するための前記手段は、前記１つまたは複数のアップリンク搬送波が対にされている相手である前記１つまたは複数のダウンリンク搬送波のためのすべての前記制御情報を前記指定されたアップリンクアンカー搬送波で交換する請求項１６に記載の装置。
【請求項２２】
前記指定されたアップリンクアンカー搬送波は、１つまたは複数のその他のアップリンク搬送波が対にされている相手である前記１つまたは複数のダウンリンク搬送波と対にされない請求項２１に記載の装置。
【請求項２３】
前記指定されたアップリンクアンカー搬送波は、前記１つまたは複数のアップリンク搬送波のうちの１つである請求項２１に記載の装置。
【請求項２４】
アンカー搬送波がダウンリンクのために指定され、前記決定することが、前記制御情報が前記指定されたアンカー搬送波に基づいて交換されると決定することを備えるときに、前記制御情報を交換するための前記手段は、前記１つまたは複数のダウンリンク搬送波が対にされている相手である前記１つまたは複数のアップリンク搬送波のためのすべての前記制御情報を前記指定されたダウンリンクアンカー搬送波で交換する請求項１６に記載の装置。
【請求項２５】
前記指定されたダウンリンクアンカー搬送波は、１つまたは複数のその他のダウンリンク搬送波が対にされている相手である前記１つまたは複数のアップリンク搬送波と対にされない請求項２４に記載の装置。
【請求項２６】
前記指定されたダウンリンクアンカー搬送波は、前記１つまたは複数のダウンリンク搬送波のうちの１つである請求項２４に記載の装置。
【請求項２７】
前記制御情報は、チャネル品質指示フィードバック、ハイブリッド自動再送要求フィードバック、ダウンリンク許可、又はアップリンク許可のうちの少なくとも１つを備える請求項１６に記載の装置。
【請求項２８】
前記制御情報は、前記搬送波のデータスペース内で交換される請求項１６に記載の装置。
【請求項２９】
前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有する請求項１６に記載の装置。
【請求項３０】
前記ペアリングを決定するための前記手段は、すべての利用可能なダウンリンク搬送波及びアップリンク搬送波のための複数のペアリングを決定し、及び
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有する請求項１６に記載の装置。
【請求項３１】
無線通信システムにおいて動作可能な装置であって、
１つまたは複数のアップリンク搬送波と１つまたは複数のダウンリンク搬送波との間でのペアリングを決定し、及び
アンカー搬送波の指定に基づいて前記搬送波のうちの１つ以上で制御情報を交換するように構成された処理システムであって、
前記１つまたは複数のアップリンク搬送波及び前記１つまたは複数のダウンリンク搬送波は、少なくとも３つの搬送波を備え、前記制御情報の交換は、アップリンクアンカー搬送波で前記複数のダウンリンク搬送波の制御情報を送信することと、ダウンリンクアンカー搬送波で前記複数のアップリンク搬送波の制御情報を受信することを含む、処理システム、
を備える、無線通信システムにおいて動作可能な装置。
【請求項３２】
前記ペアリングを決定するために、前記１つまたは複数のプロセッサは、前記１つまたは複数のアップリンク搬送波と前記１つまたは複数のダウンリンク搬送波との間での前記ペアリングを決定するように構成される請求項３１に記載の装置。
【請求項３３】
前記ペアリングを決定するために、前記１つまたは複数のプロセッサは、ブロードキャストされたシステム情報又は専用シグナリングから前記１つまたは複数のアップリンク搬送波と前記１つまたは複数のダウンリンク搬送波との間での前記ペアリングを特定するように構成される請求項３１に記載の装置。
【請求項３４】
前記決定することが、前記制御情報が前記ペアリングに基づいて交換されると決定することを備えるときに、前記１つまたは複数のプロセッサは、前記１つまたは複数のアップリンク搬送波が対にされている相手である前記１つまたは複数のダウンリンク搬送波のための前記制御情報を前記１つまたは複数のアップリンク搬送波のうちのすべてで交換するように構成される請求項３１に記載の装置。
【請求項３５】
前記決定することが、前記制御情報が前記ペアリングに基づいて交換されると決定することを備えるときに、前記１つまたは複数のプロセッサは、前記１つまたは複数のダウンリンク搬送波が対にされている相手である前記１つまたは複数のアップリンク搬送波のための前記制御情報を前記１つまたは複数のダウンリンク搬送波のうちのすべてで交換するように構成される請求項３１に記載の装置。
【請求項３６】
アンカー搬送波がアップリンクのために指定され、前記決定することが、前記制御情報が前記指定されたアンカー搬送波に基づいて交換されると決定することを備えるときに、前記１つまたは複数のプロセッサは、前記１つまたは複数のアップリンク搬送波が対にされている相手である前記１つまたは複数のダウンリンク搬送波のためのすべての前記制御情報を前記指定されたアップリンクアンカー搬送波で交換するように構成される請求項３１に記載の装置。
【請求項３７】
前記指定されたアップリンクアンカー搬送波は、１つまたは複数のその他のアップリンク搬送波が対にされている相手である前記１つまたは複数のダウンリンク搬送波と対にされない請求項３６に記載の装置。
【請求項３８】
前記指定されたアップリンクアンカー搬送波は、前記１つまたは複数のアップリンク搬送波のうちの１つである請求項３６に記載の装置。
【請求項３９】
アンカー搬送波がダウンリンクのために指定され、前記決定することが、前記制御情報が前記指定されたアンカー搬送波に基づいて交換されると決定することを備えるときに、前記１つまたは複数のプロセッサは、前記１つまたは複数のダウンリンク搬送波が対にされている相手である前記１つまたは複数のアップリンク搬送波のためのすべての前記制御情報を前記指定されたダウンリンクアンカー搬送波で交換するように構成される請求項３１に記載の装置。
【請求項４０】
前記指定されたダウンリンクアンカー搬送波は、１つまたは複数のその他のダウンリンク搬送波が対にされている相手である前記１つまたは複数のアップリンク搬送波と対にされない請求項３９に記載の装置。
【請求項４１】
前記指定されたダウンリンクアンカー搬送波は、前記１つまたは複数のダウンリンク搬送波のうちの１つである請求項３９に記載の装置。
【請求項４２】
前記制御情報は、チャネル品質指示フィードバック、ハイブリッド自動再送要求フィードバック、ダウンリンク許可、又はアップリンク許可のうちの少なくとも１つを備える請求項３１に記載の装置。
【請求項４３】
前記制御情報は、前記搬送波のデータスペース内で交換される請求項３１に記載の装置。
【請求項４４】
前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有する請求項３１に記載の装置。
【請求項４５】
前記ペアリングを決定するために、前記１つまたは複数のプロセッサは、すべての利用可能なダウンリンク搬送波及びアップリンク搬送波のための複数のペアリングを決定するように構成され、
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有する請求項３１に記載の装置。
【請求項４６】
コンピュータプログラム製品であって、
１つまたは複数のアップリンク搬送波と１つまたは複数のダウンリンク搬送波との間でのペアリングを決定するための符号であって、前記１つまたは複数のアップリンク搬送波及び前記１つまたは複数のダウンリンク搬送波は、少なくとも３つの搬送波を備える符号と、
アンカー搬送波の指定に基づいて前記搬送波のうちの１つ以上で制御情報を交換するための符号と、を備え、
前記制御情報を交換するための符号は、
アップリンクアンカー搬送波で前記複数のダウンリンク搬送波の制御情報を送信するための符号と、
ダウンリンクアンカー搬送波で前記複数のアップリンク搬送波の制御情報を受信するための符号を含む、
コンピュータによって読み取り可能な媒体、を備える、コンピュータプログラム製品。
【請求項４７】
前記ペアリングを決定するための前記符号は、前記１つまたは複数のアップリンク搬送波と前記１つまたは複数のダウンリンク搬送波との間での前記ペアリングを決定するための符号を備える請求項４６に記載のコンピュータ読取可能記録媒体。
【請求項４８】
前記ペアリングを決定するための前記符号は、ブロードキャストされたシステム情報又は専用シグナリングから前記１つまたは複数のアップリンク搬送波と前記１つまたは複数のダウンリンク搬送波との間での前記ペアリングを特定するための符号を備える請求項４６に記載のコンピュータ読取可能記録媒体。
【請求項４９】
前記決定することが、前記制御情報が前記ペアリングに基づいて交換されると決定することを備えるときに、前記制御情報を交換するための前記符号は、前記１つまたは複数のアップリンク搬送波が対にされている相手である前記１つまたは複数のダウンリンク搬送波のための前記制御情報を前記１つまたは複数のアップリンク搬送波のうちのすべてで交換するための符号を備える請求項４６に記載のコンピュータ読取可能記録媒体。
【請求項５０】
前記決定することが、前記制御情報が前記ペアリングに基づいて交換されると決定することを備えるときに、前記制御情報を前記交換するための前記符号は、前記１つまたは複数のダウンリンク搬送波が対にされている相手である前記１つまたは複数のアップリンク搬送波のための前記制御情報を前記１つまたは複数のダウンリンク搬送波のうちのすべてで交換するための符号を備える請求項４６に記載のコンピュータ読取可能記録媒体。
【請求項５１】
アンカー搬送波がアップリンクのために指定され、前記決定することが、前記制御情報が前記指定されたアンカー搬送波に基づいて交換されると決定することを備えるときに、前記制御情報を交換するための前記符号は、前記１つまたは複数のアップリンク搬送波が対にされている相手である前記１つまたは複数のダウンリンク搬送波のためのすべての前記制御情報を前記指定されたアップリンクアンカー搬送波で交換するための符号を備える請求項４６に記載のコンピュータ読取可能記録媒体。
【請求項５２】
前記指定されたアップリンクアンカー搬送波は、１つまたは複数のその他のアップリンク搬送波が対にされている相手である前記１つまたは複数のダウンリンク搬送波と対にされない請求項５１に記載のコンピュータ読取可能記録媒体。
【請求項５３】
前記指定されたアップリンクアンカー搬送波は、前記１つまたは複数のアップリンク搬送波のうちの１つである請求項５１に記載のコンピュータ読取可能記録媒体。
【請求項５４】
アンカー搬送波がダウンリンクのために指定され、前記決定することが、前記制御情報が前記指定されたアンカー搬送波グに基づいて交換されると決定することを備えるときに、前記制御情報を交換するための前記符号は、前記１つまたは複数のダウンリンク搬送波が対にされている相手である前記１つまたは複数のアップリンク搬送波のためのすべての前記制御情報を前記指定されたダウンリンクアンカー搬送波で交換するための符号を備える請求項４６に記載のコンピュータ読取可能記録媒体。
【請求項５５】
前記指定されたダウンリンクアンカー搬送波は、１つまたは複数のその他のダウンリンク搬送波が対にされている相手である前記１つまたは複数のアップリンク搬送波と対にされない請求項５４に記載のコンピュータ読取可能記録媒体。
【請求項５６】
前記指定されたダウンリンクアンカー搬送波は、前記１つまたは複数のダウンリンク搬送波のうちの１つである請求項５４に記載のコンピュータ読取可能記録媒体。
【請求項５７】
前記制御情報は、チャネル品質指示フィードバック、ハイブリッド自動再送要求フィードバック、ダウンリンク許可、又はアップリンク許可のうちの少なくとも１つを備える請求項４６に記載のコンピュータ読取可能記録媒体。
【請求項５８】
前記制御情報は、前記搬送波のデータスペース内で交換される請求項４６に記載のコンピュータ読取可能記録媒体。
【請求項５９】
前記少なくとも３つの対にされた搬送波のうちの少なくとも１つは、前記少なくとも３つの対にされた搬送波のうちの他方と比較して互いに素な周波数割り当て又は非対称的な帯域幅のうちの少なくとも１つを有する請求項４６に記載のコンピュータ読取可能記録媒体。
【請求項６０】
前記ペアリングを決定するための前記符号は、すべての利用可能なダウンリンク搬送波及びアップリンク搬送波のための複数のペアリングを決定するための符号を備え、
前記すべての前記ダウンリンク搬送波及び前記アップリンク搬送波のうちの少なくとも１つは、前記すべての前記ダウンリンク搬送波及び前記アップリンク搬送波のうちの他方と比較して互いに素な周波数割り当て又は非対称的な帯域幅のうちの少なくとも１つを有する請求項４６に記載のコンピュータ読取可能記録媒体。
【外国語明細書】
2015039183000001.pdf